(57)【特許請求の範囲】
【請求項１】
車両内に設けられて、音声による入力を行う音声入力部と音声以外の操作による入力を行う直接入力部とを有する入力手段と、前記入力手段により入力された情報を表示可能な表示手段と、前記入力手段により入力された情報を使用して所定の制御を行う制御手段とを備えた車両用情報機器であって、
前記制御手段は、前記音声入力部から入力された音声情報を認識可能な音声認識部と、前記音声認識部で認識された音声情報と類似する類似情報を作成する代替案作成部と、前記音声認識部で認識された音声情報および前記類似情報を、これら情報が使用者の発話した発話情報と一致するかどうかを、使用者が判定可能なように、前記表示手段に表示させる表示制御部と、前記入力手段からの入力情報に基づき、前記音声情報と前記類似情報とのいずれかが前記発話情報と一致するかどうかを判定する発話情報判定部と、前記発話情報判定部が発話情報と一致すると判定した情報を前記制御に用いる使用情報として決定する使用情報決定部とを備え、
前記発話情報判定部は、前記表示制御部が前記表示手段に前記音声情報および前記類似情報を表示してから予め設定された所定期間の間に、前記類似情報に対応する情報が前記音声入力部あるいは前記直接入力部に入力されると、当該類似情報を前記発話情報と一致すると判定し、前記所定期間の間に、前記音声入力部に音声入力がなされず、かつ、前記直接入力部に入力がなされない場合には、前記音声情報が前記発話情報と一致すると判定し、
前記使用情報決定部は、前記発話情報判定部が前記音声情報およびこれに対応する前記類似情報のいずれもが前記発話情報と一致しないと判定した場合は、この発話情報と一致しないと判定された情報の入力源を前記直接入力部に切り替えるとともに、当該直接入力部により入力された情報と前記発話情報判定部によって発話情報と一致すると判定された情報とで構成された情報を、前記使用情報として決定することを特徴とする車両用情報機器。
【請求項２】
請求項１に記載の車両用情報機器において、
当該車両用情報機器は、車両内に設けられた電話機のハンズフリー通話を行うための装置であって、
前記使用情報は、複数の番号で構成される電話番号であり、
前記表示制御部は、前記音声入力部から前記電話番号を構成する番号として所定の番号が入力されて前記音声認識部により当該入力番号が認識されると、順次、この入力番号と前記代替案作成部で作成された類似番号とを前記表示手段に表示させ、
前記発話情報判定部は、前記音声入力部から前記電話番号を構成する番号として所定の番号が入力されて前記音声認識部により当該入力番号が認識されるのに伴い前記表示手段に当該入力番号および前記類似番号が表示されると、順次、これら番号が使用者の発話した発話番号と一致するかどうかを判定し、
前記使用情報決定部は、前記発話情報判定部が前記入力番号および前記類似番号を発話番号と一致しないと判定すると、電話番号のうちこの発話番号と一致しないと判定された番号以降の番号の入力源を前記直接入力部に切り替えるとともに、前記発話番号と一致しないと判定された番号よりも先に入力されて発話番号と一致すると判定された番号の後に前記直接入力部により入力された番号が連続する番号を、前記使用情報としての電話番号として決定することを特徴とする車両用情報機器。
【請求項３】
請求項１に記載の車両用情報機器において、
当該車両用情報機器は、車両内に設けられた電話機のハンズフリー通話を行うための装置であって、
前記使用情報は、複数の番号で構成される電話番号であり、
前記発話情報判定部は、前記音声入力部による前記電話番号を構成する全ての番号の入力が終了すると、この入力された電話番号と前記代替案作成部で作成された類似番号とを複数の単位番号に分割して、当該単位番号毎に、その番号が使用者の発話した発話番号と一致するかどうかを判定し、
前記使用情報決定部は、前記発話情報判定部が所定の単位番号を発話番号と一致しないと判定すると、この発話番号と一致しないと判定された単位番号の入力源を前記直接入力部に切り替え、当該直接入力部により入力された単位番号と前記発話情報判定部によって発話番号と一致すると判定された単位番号とで構成される番号を、前記使用情報としての電話番号として決定することを特徴とする車両用情報機器。
【発明の詳細な説明】
【技術分野】
【０００１】
本発明は、音声による入力を行う音声入力部と音声以外の操作による入力を行う直接入力部とを有する入力手段と、入力手段から入力された情報を表示可能な表示手段と、前記入力手段により入力された情報を使用して所定の制御を行う制御手段とを備えた車両用情報機器に関する。
【背景技術】
【０００２】
従来より、車両内に持ち込まれた携帯電話機といった装置を、音声入力により操作するための車両用情報機器の開発が行なわれている。
【０００３】
例えば、特許文献１には、音声による電話番号の入力を行うための入力手段であるマイクと、当該マイクから入力された音声を認識する音声認識部とを備え、携帯電話機に前記音声認識部で認識された電話番号先に発信させるよう指示を行う装置が開示されている。このように音声入力により所定の制御を行うものでは、運転者がこの操作を行うためにハンドルから手を離す必要がないため車両を安全に運転することができる。
【先行技術文献】
【特許文献】
【０００４】
【特許文献１】特開２００５−３４８１２３号公報
【発明の概要】
【発明が解決しようとする課題】
【０００５】
しかしながら、入力される音声の特徴は使用者に応じて種々に異なるため、前記音声認識部が入力された音声を適切に認識できない場合がある。特に、複数回にわたって音声を入力しても適切に認識されない場合があり、利便性が悪いという問題がある。
【０００６】
本発明は、このような事情に鑑み、簡単な構成で利便性をより高めることのできる操作装置を提供することを目的とする。
【課題を解決するための手段】
【０００７】
前記課題を解決するために、本発明は、車両内に設けられて、音声による入力を行う音声入力部と音声以外の操作による入力を行う直接入力部とを有する入力手段と、前記入力手段により入力された情報を表示可能な表示手段と、前記入力手段により入力された情報を使用して所定の制御を行う制御手段とを備えた車両用情報機器であって、前記制御手段は、前記音声入力部から入力された音声情報を認識可能な音声認識部と、前記音声認識部で認識された音声情報と類似する類似情報を作成する代替案作成部と、前記音声認識部で認識された音声情報および前記類似情報を、これら情報が使用者の発話した発話情報と一致するかどうかを、使用者が判定可能なように、前記表示手段に表示させる表示制御部と、前記入力手段からの入力情報に基づき、前記音声情報と前記類似情報とのいずれかが前記発話情報と一致するかどうかを判定する発話情報判定部と、前記発話情報判定部が発話情報と一致すると判定した情報を前記制御に用いる使用情報として決定する使用情報決定部とを備え、前記発話情報判定部は、前記表示制御部が前記表示手段に前記音声情報および前記類似情報を表示してから予め設定された所定期間の間に、前記類似情報に対応する情報が前記音声入力部あるいは前記直接入力部に入力されると、当該類似情報を前記発話情報と一致すると判定し、前記所定期間の間に、前記音声入力部に音声入力がなされず、かつ、前記直接入力部に入力がなされない場合には、前記音声情報が前記発話情報と一致すると判定し、前記使用情報決定部は、前記発話情報判定部が前記音声情報およびこれに対応する前記類似情報のいずれもが前記発話情報と一致しないと判定した場合は、この発話情報と一致しないと判定された情報の入力源を前記直接入力部に切り替えるとともに、当該直接入力部により入力された情報と前記発話情報判定部によって発話情報と一致すると判定された情報とで構成された情報を、前記使用情報として決定することを特徴とする車両用情報機器を提供する。
【０００８】
本発明によれば、使用情報を音声入力により入力することができるとともに、入力された音声が音声認識部で適切に認識されなかった場合等のように前記音声情報と使用者が発話した情報とが一致しない場合には、前記使用情報の入力源が直接入力部に切り替えられるので、使用者はこの直接入力部によって適切な情報を入力することができ、利便性が高められる。しかも、この機器によれば、発話情報であると判定された情報が使用情報の一部として決定維持されるので、発話情報でないと判定された情報のみを直接入力部により入力すればよく、所定の情報について入力をやり直す必要がなく、利便性がより一層高められる。
【００１０】
しかも、この構成によれば、前記音声認識部で認識された音声情報と前記類似情報とが発話情報の候補として挙げられるため、使用情報として発話情報が用いられる可能性が高まる。すなわち、直接入力部による入力機会が低減し、運転者が音声以外の操作を行なわねばならない機会が低減するため、運転安全性が高められる。
【００１１】
ここで、前記制御手段の具体的構成としては、車両内に設けられた電話機のハンズフリー通話を行うための装置が挙げられ、前記使用情報としては、複数の番号で構成される電話番号が挙げられる。
【００１２】
この場合において、前記表示制御部は、前記音声入力部から前記電話番号を構成する番号として所定の番号が入力されて前記音声認識部により当該入力番号が認識されると、順次、この入力番号と前記代替案作成部で作成された類似番号とを前記表示手段に表示させ、前記発話情報判定部は、前記音声入力部から前記電話番号を構成する番号として所定の番号が入力されて前記音声認識部により当該入力番号が認識されるのに伴い前記表示手段に当該入力番号および前記類似番号が表示されると、順次、これら番号が使用者の発話した発話番号と一致するかどうかを判定し、前記使用情報決定部は、前記発話情報判定部が前記入力番号および前記類似番号を発話番号と一致しないと判定すると、電話番号のうちこの発話番号と一致しないと判定された番号以降の番号の入力源を前記直接入力部に切り替えるとともに、前記発話番号と一致しないと判定された番号よりも先に入力されて発話番号と一致すると判定された番号の後に前記直接入力部により入力された番号が連続する番号を、前記使用情報としての電話番号として決定するのが好ましい（請求項２）。
【００１３】
この構成によれば、音声が入力される度にこの音声入力による番号が発話番号と一致するかどうかが判定されて、一致しないと判定されるのに伴い前記入力源が直接入力部に切り替えられるため、使用者は、電話番号全体の入力を行なうことなく音声入力された番号が発話番号でないと判定された時点で直接入力部による入力を行なえばよい。そして、使用者は、既に発話番号として判定された番号以降の番号のみを直接入力部により入力すればよいので、利便性が高められる。
【００１４】
また、前記発話情報判定部を、前記音声入力部による前記電話番号を構成する全ての番号の入力が終了すると、この入力された電話番号と前記代替案作成部で作成された類似番号とを複数の単位番号に分割して、当該単位番号毎に、その番号が使用者の発話した発話番号と一致するかどうかを判定するように構成し、前記使用情報決定部を、前記発話情報判定部が所定の単位番号を発話番号と一致しないと判定すると、この発話番号と一致しないと判定された単位番号の入力源を前記直接入力部に切り替え、当該直接入力部により入力された単位番号と前記発話情報判定部によって発話番号と一致すると判定された単位番号とで構成される番号を、使用情報としての電話番号として決定するように構成してもよい（請求項３）。
【００１５】
このようによれば、使用者は、発話番号でないと判定された単位番号のみを直接入力部により入力すればよく、利便性が高められる。
【図面の簡単な説明】
【００１６】
【図１】本発明の実施形態に係るハンズフリー通話装置の構成を示すブロック図である。
【図２】図１に示すハンズフリー通話装置が設けられた車両の一部を示す図である。
【図３】図１に示すハンズフリー通話装置の動作を示すフローチャートである。
【図４】図１に示すハンズフリー通話装置の動作を説明するための図である。
【図５】番号入力画面の表示例を示した図である。
【図６】本発明の他の実施形態に係るハンズフリー通話装置の動作を示すフローチャートである。
【図７】本発明の他の実施形態に係る電話番号決定画面を示した図である。
【発明を実施するための形態】
【００１７】
本発明に係る車両に設けられる車両用情報機器の第１実施形態について図面を参照しながら説明する。
【００１８】
ここでは、前記車両用情報機器が、Ｂｌｕｅｔｏｏｔｈ（登録商標）等の近距離無線通信で携帯電話機２と接続されて携帯電話機２を操作し、この携帯電話機２のハンズフリー通話を実現するハンズフリー通話装置１である場合について説明する。
【００１９】
前記ハンズフリー通話装置１は、ハンズフリー通話を行うための各種制御を行うコントロールユニット（制御手段）１０と、このコントロールユニット１０に音声を入力するためのマイク（音声入力部）２０と、各種の表示を行うディスプレイ３０と、スピーカー４０とを備えている。本実施形態では、前記ディスプレイ３０は、タッチパネル機能を有しており、このディスプレイ３０に表示される各種操作部の押圧操作等により前記コントロールユニット１０に対する入力が可能なように構成されている。すなわち、このディスプレイ３０は、各種の表示を行う表示手段および音声以外の操作による入力を行う直接入力部として機能する。
【００２０】
本実施形態では、前記コントロールユニット１０はインストゥルメントパネル３の裏側に収納されており、前記マイク２０はサンバイザー５Ｄに取り付けられており、前記ディスプレイ３０はインストゥルメントパネル３の車幅方向中央に車室側に露出した状態で取り付けられている。前記スピーカー４は、オーディオ機器のスピーカーと兼用されており車両ドア部等に設けられている。
【００２１】
前記コントロールユニット１０は、音声認識部１１と、通信部１２と、音声出力部１３と、発信番号決定部（使用情報決定部）１４と、代替案作成部１５と、発話番号判定部（発話情報判定部）１６と、表示制御部１７とを有している。
【００２２】
前記音声認識部１１は、前記マイク２０から入力された音声（音声情報）を認識する部分である。前記通信部１２は、携帯電話機２との間で無線通信を行う部分である。前記音声出力部１３は、前記スピーカー４０に音声を出力する部分である。前記表示制御部１７は、前記ディスプレイ３０を制御して各種表示を行なわせる、また、ディスプレイ３０に表示された各種操作部に対して行なわれた操作を前記発信番号決定部１４等に送信する部分である。
【００２３】
本ハンズフリー通話装置１では、前記マイク２０から入力されて前記音声認識部１１で認識された音声が前記通信部１２を介して前記携帯電話機２に送信され、携帯電話機２で受信した音声が前記通信部１２および前記音声出力部１３を介して前記スピーカー４０に送信されてこのスピーカー４０から出力されることで、携帯電話機２を持たないハンズフリー通話が行われる。
【００２４】
本ハンズフリー通話装置１は、携帯電話機２を所定の発信先に発信させる操作をハンズフリーで行えるよう構成されている。前記発信番号決定部１４は、マイク２０等から入力された入力番号に基づいて発信先の電話番号（使用情報）を決定する部分である。前記代替案作成部１５は、発信先電話番号としてマイク２０から入力されて前記音声認識部１１で認識された番号と類似する類似番号（類似情報）を作成する部分である。前記発話番号判定部１６は、前記マイク２０から入力されて前記音声認識部１１で認識された番号（以下において、この音声認識部１１で認識された番号を認識番号という場合がある）。および前記類似番号が発話番号（発話情報）と一致するかどうかを判定する部分である。
【００２５】
図３のフローチャートを用いて、前記発信番号決定部１４、代替案作成部１５および発話番号判定部１６等により前記コントロールユニット１０において前記発信先電話番号が決定される手順について説明する。
【００２６】
前記発信先電話番号の入力開始指示として予め設定された音声情報が前記マイク２０により入力される、あるいは、この入力開始指示として予め設定された所定の操作が前記ディスプレイ３０に表示された所定の操作部に対して行われると、前記表示制御部１７により、ディスプレイ３０上に図４（ａ）に示す電話番号決定画面３０Ａが表示される（ステップＳ１）。この電話番号決定画面３０Ａには、後述するように、前記音声認識部１１で認識された番号を表示するための認識番号表示部３１と、前記類似番号を表示するための代替案表示部３２と、発信先電話番号として決定された発信先電話番号を表示するための決定番号表示部３３と、発信先電話番号の入力源をマイク２０からディスプレイ３０に表示される後述する操作ボタン３８に切り替える入力切替スイッチ３４とが表示される。
【００２７】
また、前記発信先電話番号の入力開始時指示が行なわれると、前記コントロールユニット１０は、発信先電話番号の入力として前記マイク２０からの入力を受け付ける（ステップＳ２）。このように、本実施形態では、この発信先電話番号の入力が基本的にマイク２０により行なわれる。
【００２８】
マイク２０から音声が入力されると、前記音声認識部１１により、この音声情報が電話番号を構成する数字等からなる番号として認識される（ステップＳ３）。
【００２９】
前記音声認識部１１で音声が認識されると、前記代替案作成部１５により、この認識された認識番号と類似する類似番号が作成される（ステップＳ４）。本実施形態では、１つの認識番号に対して２つの類似番号が作成される。例えば、認識番号が「１２３」の場合は、前記代替案作成部１５は類似番号として「１２２」および「１０２」を作成する。
【００３０】
前記類似番号が作成されると、図４（ｂ）に示すように、前記表示制御部１７により、前記認識番号が前記認識音声表示部３１に表示されるとともに、前記類似番号が前記代替案表示部３２に表示される（ステップＳ５）。このとき、前記代替案表示部３２において、各類似番号はそれぞれ符号Ｘ１，Ｘ２が付された状態で表示される。本実施形態では、図４（ｂ）に示すように、「Ａｌｔ１」「Ａｌｔ２」からなる符合Ｘ１，Ｘ２が表示される。
【００３１】
次に、ステップＳ６、Ｓ７、Ｓ８において、前記発話番号判定部１６により前記認識番号と前記類似番号のいずれかが、使用者が発話した発話番号と一致するかどうかの判定が行なわれる。
【００３２】
本実施形態では、前記発話番号判定部１６は、前記ステップＳ５で認識番号および類似番号が表示されてから所定期間マイク２０からの音声入力がなかった場合およびディスプレイ３０に対して所定の操作がなされなかった場合は、認識番号が発話番号と一致すると判定する。
【００３３】
また、前記発話番号判定部１６は、使用者が各類似番号に付された符号Ｘ１あるいは符号Ｘ２を読み上げ前記音声認識部１１でこの符号Ｘ１あるいは符号Ｘ２が認識された場合、あるいは、前記類似番号表示部３２の各類似番号が表示されている部分が押圧操作された場合は、前記読み上げられた符号に対応する類似番号あるいは押圧操作された類似番号が発話番号と一致すると判定する。
【００３４】
また、前記発話番号判定部１６は、前記入力切替スイッチ３４が押圧操作された場合は、前記認識番号と類似番号のいずれもが発話番号と一致していないと判定する。
【００３５】
すなわち、前記入力切替スイッチ３４が押圧操作されると（ステップＳ６でＹＥＳ）、前記発話番号判定部１６により、前記認識番号と類似番号のいずれもが発話番号と一致していないと判定される（ステップＳ３０）。一方、前記入力切替スイッチ３４が押圧操作されずに（ステップＳ６でＮＯ）、前記音声認識部１１で前記符号Ｘ１（Ｘ２）の入力が認識される、あるいは、前記類似番号表示部３２の類似番号が表示されている部分が押圧操作されると（ステップＳ７でＹＥＳ）、前記発話番号判定部１６により、この符号Ｘ１（Ｘ２）に対応する類似番号が発話番号と一致すると判定される（ステップＳ２０）。一方、前記ステップＳ５の後、前記入力切替スイッチ３４が押圧操作されず（ステップＳ６でＮＯ）、音声認識部１１で前記符号Ｘ１（Ｘ２）の入力が認識されず、かつ、前記類似番号表示部３２が押圧操作されないまま（ステップＳ７でＮＯ）、所定時間が経過すると（ステップＳ８でＮＯ）、前記発話番号判定部１６により、前記認識番号が発話番号と一致すると判定される（ステップＳ１０）。
【００３６】
前記認識番号が発話番号と一致すると判定されると（ステップＳ１０）、前記発信番号決定部１４により、この認識番号が発信先電話番号の少なくとも一部として決定される（ステップＳ１１）。一方、前記類似番号が発話番号と一致すると判定されると（ステップＳ２０）、前記発信番号決定部１４により、この類似番号が発信先電話番号の少なくとも一部として決定される（ステップＳ２１）。
【００３７】
本実施形態では、前記入力切替スイッチ３４が押圧操作されるまで、あるいは、後述するステップＳ１４で電話番号の入力が終了したと判定されるまで、音声入力がなされる毎に、前記ステップＳ２から前記ステップＳ１１あるいはステップＳ２１までの処理が実施される。すなわち、マイク２０から音声入力がなされると、電話番号全体の入力を待たずに、順次、この入力された音声入力番号が発話番号と一致するかどうかの判定がなされ、この入力番号が発信先電話番号の少なくとも一部であるかどうかの決定が行われる。
【００３８】
前記ステップＳ１１およびステップＳ２１で新たに前記認識番号あるいは類似番号が発信先電話番号の少なくとも一部であると決定されると、前記発信番号決定部１４は、この発信先電話番号の少なくとも一部であると新たに決定された認識番号あるいは類似番号である新規決定番号を、発信先電話番号の少なくとも一部として既に決定されている番号である決定済み番号の後ろに連続させて、これら連続した番号を決定済み番号として更新する（ステップＳ１２）。例えば、新規決定番号が「４５５６７７８９９」であり、決定済み番号が「１２３」の場合は、「１２３４５５６７７８９９」が決定済み番号として更新される。
【００３９】
このように、本実施形態では、マイク２０から音声入力がなされてその音声入力番号が発信先電話番号の少なくとも一部であると決定されるのに伴い、発信先電話番号がその先頭から順に決定されていく。なお、前記ステップＳ１の後、最初にマイク２０から入力された入力番号については、前記ステップＳ１１あるいはステップＳ１２で、この入力番号が発信先電話番号の少なくとも一部であると決定されるのに伴い、この入力番号が決定済み番号として決定される。
【００４０】
前記ステップＳ１２で決定済み番号が決定、更新されると、この決定、更新された決定済み番号は、前記表示制御部１７により、前記決定番号表示部３３に表示される（ステップＳ１３）。この表示は、前記電話番号決定画面３０Ａが表示されている間中、常に表示されており、使用者が決定済み番号を確認しながら新たな音声入力ができるよう構成されている。例えば、図４（ｃ）に示すように、「１２３」という番号が決定済み番号として決定されている状態でマイク２０から新たな音声が入力された場合には、前記決定番号表示部３３に「１２３」という表示がなされたまま、前記認識音声表示部３１および代替案表示部３２に新たな入力番号に対応する番号が表示される。
【００４１】
前記ステップＳ１３の後は、発信先電話番号の全ての番号の入力が終了したかどうかが判定される（ステップＳ１４）。例えば、予め設定された個数の番号が入力される、あるいは、この入力終了指示として予め設定された音声情報がマイク２０より入力される、あるいは、この入力終了指示として予め設定された所定の操作が前記ディスプレイ３０に表示された所定の操作部に対して行われると、前記番号入力が終了したと判定される。番号入力が終了したと判定された場合は（ステップＳ１４でＹＥＳ）、発信先電話番号の決定処理は終了され、前記発信番号決定部１４から、前記ステップＳ１３で決定、更新された決定済み番号が前記通信部１２を介して携帯電話機２に送信される。一方、全ての番号の入力が終了していない場合（ステップＳ１４でＮＯ）は、ステップＳ２に戻り、ステップＳ２以降の処理が再び行われる。
【００４２】
一方、前記入力切替スイッチ３４が押圧操作されて（ステップＳ６でＹＥＳ）、前記認識番号と類似番号のいずれもが発話番号と一致していないと判定されると（ステップＳ３０）、前記発信番号決定部１６により、発信先電話番号の入力源が前記マイク２０から前記ディスプレイ３０に切り替えられる。具体的には、前記表示制御部１７により、ディスプレイ３０上に、図５に示すような１〜９の数字が付された複数の操作ボタン３８を含む番号入力画面３０Ｂが表示される（ステップＳ３１）。各操作ボタン３８は、押圧操作されることで、対応する数字がコントロールユニット１０に入力されるよう構成されたものであり、コントロールユニット１０は、発信先電話番号の入力としてマイク２０からの入力の受付を停止してこの操作ボタン３８の操作入力の受付を開始する（ステップＳ３２）。
【００４３】
ここで、前述のように、本実施形態では、前記入力切替スイッチ３４が押圧操作されるまでの間において、音声入力がなされる毎に、前記ステップＳ２から前記ステップＳ１１あるいはステップＳ２１までの処理が実施されるよう構成されている。そのため、入力切替スイッチ３４が押圧操作されるよりも前にマイク２０から発信先電話番号としての音声入力がなされている場合には、この音声入力に基づき前記決定済み番号が決定、更新されて発信先電話番号の一部が決定されている。
【００４４】
そこで、本装置では、この決定済み番号の決定を維持して、発信先電話番号のうちこの決定済み番号以降の番号のみを、前記操作ボタン３８からの入力により決定する。すなわち、前記操作ボタン３８が押圧操作されてコントロールユニット１０に各種数字が入力されると、前記発信番号決定部１４は、この入力された数字からなる番号をその入力順に前記決定済み番号の後ろに連続させていき、決定済み番号と操作ボタン３８から入力された番号とが連続する番号を発信先電話番号として決定する（ステップＳ３３）。本実施形態では、この操作ボタン３８からの入力が、発信先電話番号の全ての番号の入力が終了するまで（ステップＳ３４でＹＥＳとなるまで）実施される。ステップＳ３４で番号入力が終了したと判定されると、発信先電話番号の決定処理は終了され、前記発信番号決定部１４から、前記決定済み番号と操作ボタン３８から入力された番号とが連続する番号が前記通信部１２を介して携帯電話機２に送信される。
【００４５】
なお、前記番号入力画面３０Ｂには、前記操作ボタン３８に加えて発信先電話番号表示部３９が表示されており、この発信先電話番号表示部３９には、前記決定済み番号と前記操作ボタン３８から入力された番号が連続して表示される。
【００４６】
また、ここでは、発信先電話番号の全ての番号の入力が終了するまで（ステップＳ３４でＹＥＳとなるまで）、前記操作ボタン３８からの入力が行なわれる場合について説明したが、ディスプレイ３０に表示された所定の操作部の操作等により操作ボタン３８からの入力を終了するようにしてもよい。そして、この操作ボタン３８からの入力の終了に伴い、再び、発信先電話番号の入力源を前記マイク２０に切り替えるようにしてもよい。
【００４７】
以上のように、本装置１によれば、発信先電話番号を音声入力により入力することができるため運転安全性を確保することができるとともに、この音声入力情報が音声認識部１１で適切に認識されなかった場合のように前記認識番号が発話番号と一致しない判定された場合には、発信先電話番号の入力源が前記ディスプレイ３０に表示された操作ボタン３８に切り替えられてこの操作ボタン３８の操作による適切な番号の入力が可能とされるため、高い利便性を得ることができる。
【００４８】
しかも、音声入力された入力番号のうち発信先電話番号の一部として決定されている番号がある場合にはこの番号の決定が維持されるので、使用者はこの番号以降の番号のみを操作ボタン３８の操作により入力すればよく、より高い運転安全性および利便性を得ることができる。
【００４９】
さらに、本装置１では、前記認識番号に対して類似番号が作成されて認識番号に加えて類似番号が発話番号すなわち発信先電話番号の候補として提示されて、使用者がこの候補以外の番号を入力するべく前記操作ボタン３８を操作する機会が低減されるため、運転安全性をより高めることができる。
【００５０】
ここで、前記実施形態では、電話番号全体の入力がなされたかどうかに関わらず、マイク２０から音声入力がなされる毎に、この入力された入力番号が発話番号と一致するかどうかの判定がなされ、この入力番号が発信先電話番号の少なくとも一部であるかどうかの決定が行われる場合について説明したが、マイク２０から電話番号全体に対応する番号が入力された後にこの入力番号が複数の番号からなるブロック（単位番号）に分割されて、このブロック毎に前記入力番号が発話番号と一致するかどうかの判定および発信先電話番号の決定が行なわれるようにしてもよい。
【００５１】
このブロック毎に発信先電話番号を決定する第２の実施形態に係る発信先電話番号の決定手順を、図６のフローチャートを用いて次に説明する。第２の実施形態に係るハンズフリー通話装置１と第１の実施形態に係るハンズフリー通話装置１とは、コントロールユニット１０における発信先電話番号を決定する手順のみが異なっている。従って、ここでは、コントロールユニット１０における発信先電話番号を決定する手順のみについて説明する。
【００５２】
まず、前記第１の実施形態と同様に、発信先電話番号の入力開始時指示が行なわれると、前記表示制御部１７により、ディスプレイ３０上に図７に示す電話番号決定画面３０Ｃが表示される（ステップＳ１）。この第２の実施形態における電話番号決定画面３０Ｃには、認識番号が表示される発信先電話番号表示部３９と、前記操作ボタン３８とが表示される。
【００５３】
また、発信先電話番号の入力開始時指示が行なわれると、コントロールユニット１０は、マイク３０からの発信先電話番号の入力の受付を開始する（ステップＳ２）。マイク２０から音声が入力されると、前記音声認識部１１により、この音声入力情報が電話番号を構成する数字等からなる番号として認識される（ステップＳ３）。
【００５４】
ここで、本実施形態では、前述のように、まず、発信先電話番号全体が音声入力されるよう構成されており、前記ステップＳ２およびステップＳ３は、発信先電話番号の全ての番号の入力が終了するまで（ステップＳ５４でＹＥＳとなるまで）実施される。
【００５５】
発信先電話番号の全ての番号入力が終了して全ての入力番号が前記音声認識部１１により認識されると、前記発信番号決定部１４により、認識された認識番号が複数のブロックに分割される（ステップＳ５５）。例えば、前記認識番号は予め設定された個数毎に分割される。
【００５６】
次に、前記表示制御部１７により、前記認識番号全体が前記発信先電話番号表示部３９に表示される（ステップＳ５６）。図７に示す例では、ブロック間に「−」が挿入された状態で前記認識番号全体が表示される。
【００５７】
次に、ステップＳ５７〜ステップＳ６０において、ブロック毎に、前記発話番号判定部１６によってこのブロックを構成する認識番号が発話番号と一致するかどうかの判定が行われるとともに、この判定に基づいてステップＳ６１にて発信先電話番号が決定される。
【００５８】
本実施形態では、使用者によって発話番号と認識番号とが一致しない番号を含むブロックが選択されると（ステップＳ５７でＹＥＳ）、この選択されたブロックを構成する認識番号が発話番号と一致しないと判定される（ステップＳ５８）。具体的には、ディスプレイ３０の各ブロックが表示されている部分が押圧操作される、あるいは、各ブロックに予め割り当てられた符号が読み上げられて音声認識部１１でこの符号が認識されると、押圧操作等されたブロックに含まれる認識番号が発話番号と一致しないと判定される。ここで、ディスプレイ３０上において選択したブロックを点滅させる等により明示させておくのが好ましい。
【００５９】
前記ステップＳ５７で所定のブロックが選択されると、前記発信番号決定部１６により、発信先電話番号の入力源が前記マイク２０から前記ディスプレイ３０上の操作ボタン３８に切り替えられ、コントロールユニット１０は、操作ボタン３８からの入力の受け付けを開始する（ステップＳ５９）。
【００６０】
前記操作ボタン３８から番号入力が行われると、前記ステップＳ５７で選択されたブロックを構成する番号が、この操作ボタン３８からの入力番号に入れ替えられる（ステップＳ６０）。なお、これに伴い前記発信先電話番号表示部３９に表示されている番号も入力番号に入れ替えられる。
【００６１】
前記ステップＳ５７〜ステップＳ５９までの処理は、ブロック選択が終了されるまで（ステップＳ６１でＹＥＳとなるまで）実施される。例えば、マイク２０に所定時間入力がなされない、あるいは、ディスプレイ３０の各ブロックが表示されている部分が所定時間押圧操作されない、あるいは、マイク２０にブロック選択終了指示として予め設定された音声情報がマイク２０から入力される、あるいは、ブロック終了指示として予め設定された所定の操作が前記ディスプレイ３０に表示された所定の操作部に対して行われない場合に、前記ブロック選択が終了される。
【００６２】
ブロック選択が終了されると、前記発信番号決定部１６は、前記ステップＳ５７で選択されたブロックについてはステップＳ５９で操作ボタン３８からの入力番号に入れ替えられた番号を、その他のブロックについては前記認識番号で構成された番号を、それぞれ発信先電話番号の各ブロックを構成する番号として決定する（ステップＳ６２）。
【００６３】
ステップＳ６２の後は、発信先電話番号の決定処理は終了され、ステップＳ６２で決定された番号が前記発信番号決定部１４から前記通信部１２を介して携帯電話機２に送信される。
【００６４】
以上のように、本実施形態によれば、音声入力された入力番号が複数のブロックに分割されて、ブロック毎に、発話番号であるかどうかの判定および発信先電話番号の決定が行われており、発話番号でない番号を含むブロックを構成する番号についてのみ操作ボタン３８により入力すればよいので、使用者は、電話番号全てについて操作ボタン３８による入力操作を行なう必要がなく、高い運転安全性および利便性を得ることができる。
【００６５】
ここで、本発明は、携帯電話機２のハンズフリー通話を実現するハンズフリー通話装置以外の車両用情報機器にも適用可能である。例えば、車両に固定される車両用電話機のハンズフリー通話を実現するハンズフリー通話装置であってもよい。また、使用情報は前記のように発信先電話番号に限らない。例えば、電話機に記憶させる電話番号であってもよい。さらに、前記車両用情報機器は、ナビゲーションシステムであってもよい。この場合において、前記使用情報としては、電話番号の他、住所や名称が挙げられる。
【００６６】
また、前記コントロールユニット１０に音声以外の入力を行う入力手段は前記操作ボタン３８のようにディスプレイ３０に表示される操作部に限らない。例えば、図２に示すように、ステアリング６に押圧操作等が可能な操作ボタン７を設け、この操作ボタン７の操作によりコントロールユニット１０に発信先電話番号入力等の各種入力を行えるようにしてもよい。
【符号の説明】
【００６７】
１  ハンズフリー通話装置（車両用情報機器）
１０  コントロールユニット（制御手段）
２０  マイク（音声入力部）
３０  ディスプレイ（表示手段、直接入力部）
１１  音声認識部
１５  代替案作成部
１６  発話番号判定部（発話情報判定部）
１７  表示制御部
【図１】
0005472032.tif 000002
【図２】
0005472032.tif 000003
【図３】
0005472032.tif 000004
【図４】
0005472032.tif 000005
【図５】
0005472032.tif 000006
【図６】
0005472032.tif 000007
【図７】
0005472032.tif 000008